(57)【特許請求の範囲】
【請求項１】
計量商品に関する各種情報を設定した記憶部から計量する商品の情報を読出し、その商品の計量動作に応動して重量や金額などを表示する電子料金秤において、
タッチパネルを備えた第１の表示器と、
タッチパネルを備えた第２の表示器と、
表示切り換えを指定する表示切り換え指定手段と、
この表示切り換え指定手段により表示切り換えが指定されると前記第１の表示器に表示すべき表示内容を前記第２の表示器に表示すると共に、前記第２の表示器に表示すべき表示内容を前記第１の表示器に表示する切り換えを行う表示切り換え手段と、
を具備したことを特徴とする電子料金秤。
【発明の詳細な説明】
【０００１】
【発明の属する技術分野】
本発明は、客に表示するための表示器と店員に表示するための表示器とを備えた電子料金秤に関する。
【０００２】
【従来の技術】
客側に表示を向けられる客用の表示器と店側に表示を向けられる店用の表示器および販売する商品の商品情報を呼び出すためのキーなどが設けられている電子料金秤が知られている。この従来の電子料金秤は客側の表示器および店側の表示器は物理的に決まった表示（たとえば発光ダイオードによる表示）をしていて、客側の表示器には、客が商品を購入する際に客にとって必要な情報である商品の重さ、１００グラムあたりの値段、値段などが表示されるようになっている。店側の表示器は客側に表示する内容に加え、電子料金秤に設けられている各種キーを設定するときに必要な表示なども表示する必要があるため客側の表示器とは物理的に異なる仕様となっていた。また、電子料金秤を操作するときは各種キーが店側の表示器を見ながら操作しやすい位置に固定的に設置されていた。
【０００３】
したがって、商品を並べた商品棚を介して店員と客が対向して商品の販売が行われる場合は、電子料金秤の各種キーおよび店側の表示器が店側を向き、それを操作する店員と対向する位置に客が立ったときに客が表示器を見ることができる位置に客側の表示器を設置していた。
【０００４】
【発明が解決しようとする課題】
ところで、商品の販売形態は多種多様となってきており、上記のように店員と客が対向して行う販売ばかりでなく、店員と客がともに移動しながら店員が接客をして商品を販売するような販売形態も見られるようになってきている。しかし、このような販売形態のときには客の購入する商品が選択された後に、店員は電子料金秤を操作するために店側に設けられているキーを操作できる位置まで移動しなければならないのでその間客を待たせることになり、迅速にラベル発行などが行えず業務の速やかな遂行が図れないときがあった。
【０００５】
本発明は上記事情に鑑みてなされたものであって、その目的は、店側の表示器に表示される表示内容を客側の表示器に切り換えて表示することができる電子料金秤を提供することにある。
【０００６】
また、他の目的は、客側の表示器に店側の表示器に表示される表示内容を表示し、店側の表示器に客側の表示器に表示される表示内容を表示するように切り換えることができる電子料金秤を提供することにある。
【０００７】
【課題を解決するための手段】
本願請求項１記載の発明は、計量商品に関する各種情報を設定した記憶部から計量する商品の情報を読出し、その商品の計量動作に応動して重量や金額などを表示する電子料金秤において、タッチパネルを備えた第１の表示器と、タッチパネルを備えた第２の表示器と、表示切り換えを指定する表示切り換え指定手段と、この表示切り換え指定手段により表示切り換えが指定されると第１の表示器に表示すべき表示内容を第２の表示器に表示すると共に、第２の表示器に表示すべき表示内容を第１の表示器に表示する切り換えを行う表示切り換え手段とを具備した電子料金秤である。
【０００９】
【発明の実施の形態】
以下、本発明の一実施の形態について図面を参照して説明する。
図６は本実施の形態における電子料金秤の外観を示す外観図で、５１は電子料金秤、５２は商品の重量を測るロードセル、５３はラベルを発行するラベル発行口を示している。また、表示器Ａおよび表示器Ｂが反対向きになるように設けられている。
【００１０】
図１は電子料金秤５１の要部の構成を示すブロック図で、１１はその制御部本体としてのＣＰＵ（中央処理装置）である。このＣＰＵ１１に各種計算を実行させるためのプログラムを格納したフラッシュＲＯＭ（リード・オンリー・メモリ）１２、各種計算を実行させるためのワークエリアおよびデータを保存するためのメモリエリアなどの各種エリアを設けたＲＡＭ（ランダム・アクセス・メモリ）１３、各種機器と接続するためのインターフェース１４、ＡＴＡフラッシュメモリを接続するためのメモリーカードアダプター１５が設けられている。
【００１１】
また、表示パネル１６ａをコントロールする表示コントローラ１７ａ、表示切り換えキー１８ａを設けたタッチパネル１９ａをコントロールするタッチパネルコントローラ２０ａ、表示パネル１６ｂをコントロールする表示コントローラ１７ｂ、表示切り換えキー１８ｂを設けたタッチパネル１９ｂをコントロールするタッチパネルコントローラ２０ｂ、ラベルへの印字を行うサーマルヘッド２１とラベル用紙の搬送を行うためのパルスモータ２２とをコントロールするプリンタコントローラ２３および各種センサ２４からの情報を得るためのＩ／Ｏポート２５が設けられている。
【００１２】
上記ＣＰＵ１１には、フラッシュＲＯＭ１２、ＲＡＭ１３、インターフェース１４、メモリーカードアダプター１５、表示コントローラ１７ａ、タッチパネルコントローラ２０ａ、表示コントローラ１７ｂ、タッチパネルコントローラ２０ｂ、プリンタコントローラ２３およびＩ／Ｏポート２５がバスライン２６を介して接続されている。
【００１３】
上記表示パネル１６ａおよびタッチパネル１９ａにより表示器Ａ（第１の表示器）を形成し、表示パネル１６ｂおよび１９ｂにより表示器Ｂ（第２の表示器）を形成している。本実施の形態では表示器Ａと表示器Ｂはその表示面が反対になるようになっており、その一方が店側そして他の一方が客側に向けられるようになっている。そして、表示器Ａの表示面を店側に向け、表示器Ｂを客側に向けられ、店側に表示する表示内容と客側に表示される表示内容とのどちらの表示内容でも表示できるように表示器Ａおよび表示器Ｂは構成されている。
【００１４】
図２は、本実施の形態の電子料金秤において表示される表示内容の一例（第１の表示内容）を示していて、店員が電子料金秤を操作するのに用いられる表示画面である。その表示画面には、タッチパネルには商品の品番、名称、風袋の重さ、秤部で測定した重さ、１００グラムあたりの単価、測定した重さと１００グラムあたりの値段から計算した客の購入した商品の値段などを表示するための表示部と、商品の部門を示す部門キー、商品を示すためのキー、割引率を設定したキー、各種設定を行うためのキー（たとえば「消」キー３１や「戻」キー３２）や数値キーなどのタッチキーが設けられている。
【００１５】
図３は、本実施の形態の電子料金秤において表示される表示内容の他の一例（第２の表示内容）を示していて、客が購入する商品の確認をするのに用いられる表示画面である。その表示画面には、風袋の重さ、客の買い上げた商品の重さ、１００グラムあたりの単価、値段、品名などが表示されるようになっている。また、タッチパネルになっているので「風袋の単位の表示欄」４１と「値段の単位表示欄」４２へのオペレータからの入力を検知できるようになっている。図中においては従来の電子料金秤と同様の情報を表示するように設定しているので上記表示内容を表示した以外は表示をしないように設定してある。
【００１６】
図２および図３ともに表示切り換え指定手段としての表示切り換えキーを表示していないが、図２においては、「消」キー３１と「戻」キー３２の同時入力、図３においては、「風袋の単位表示欄」４１と「値段の単位表示欄」４２との同時入力により店側の表示器に表示する表示内容と客側の表示器に表示する表示内容とを切り換える表示切り換えキーの機能を発揮する。この表示切り換えキーが入力されなければ、店側の表示器Ａには図２で示した表示内容が、客側の表示器Ｂには図３で示した表示内容がそれぞれ表示される。
【００１７】
上記のように構成されている電子料金秤において、店側に表示されている表示内容と客側に表示されている表示内容とを表示切り換えキーの入力により入れ換えて表示する場合にＣＰＵ１１が行う処理（表示切り換え手段）の流れを図４の流れ図を用いて説明する。
【００１８】
先ず、ＣＰＵ１１は、ＳＴ（ステップ）１として、表示切り換えキー（「消」キー３１と「戻」キー３２の同時入力または風袋の単位表示欄と値段の単位表示欄の同時入力）が入力されたかの判断を行う。この判断で「ＹＥＳ」と判断されると、ＳＴ２として、タッチパネル１９ａおよびタッチパネル１９ｂへの入力を禁止する。
【００１９】
次にＳＴ３として、表示パネル１６ａの表示内容を表示器Ａの保存データとして、表示パネル１６ｂの表示内容を表示器Ｂの保存データとしてＲＡＭ１３に保存する。このように表示内容を保存した状態で、ＳＴ４として、表示器の入力ポートを交換する。つまり、タッチパネル１９ｂからの入力をタッチパネルコントローラ２０ａで検知し、タッチパネル１９ａからの入力をタッチパネルコントローラ２０ｂで検知する。そして、ＳＴ５として、出力ポートを交換する。つまり、表示コントローラ１７ａにより表示される表示内容を表示パネル１６ｂに表示し、表示コントローラ１７ｂにより表示される表示内容を表示パネル１６ａに表示する。
【００２０】
そして、ＳＴ６として、ＲＡＭ１３に保存してある表示器Ａの保存データを表示コントローラ１７ａにより表示パネル１６ｂに出力する。ＳＴ７として、ＲＡＭ１３に保存してある表示器Ｂの保存データを表示コントローラ１７ｂにより表示パネル１６ａに出力する。そして、ＳＴ８として、タッチパネル１９ａおよびタッチパネル１９ｂへの入力を許可する命令を出す。そして、ＣＰＵ１１の処理は終了する。
【００２１】
なお、ＳＴ１の判断で「ＮＯ」と判断されれば、当然ながら表示器Ａの表示内容と表示器Ｂの表示内容との入れ換えは行われない。
【００２２】
上記のような処理をした後の表示コントローラ（１７ａ、１７ｂ）と表示パネル（１６ａ、１６ｂ）との出力ポートの関係およびタッチパネルコントローラ（２０ａ、２０ｂ）とタッチパネル（１９ａ、１９ｂ）との入力ポートの関係を図５に示す。表示コントローラ１７ａから表示パネル１６ａに、表示コントローラ１７ｂから表示パネル１６ｂに出力されるように交換されていて、タッチパネル１９ａからの入力がタッチパネルコントローラ２０ｂに、タッチパネル１９ｂからの入力がタッチパネルコントローラ２０ａに入力されるように出力ポートおよび入力ポートが交換されている。
【００２３】
したがって、店側に表示面が向けられた表示器Ａには客側に表示される内容（図３）が表示され、客側に表示面が向けられた表示器Ｂには店側に表示される内容（図２）が表示される。すなわち、表示器Ａと表示器Ｂの表示される内容を入れ換えることになる。
【００２４】
このように構成された電子料金秤を、たとえば、商品を陳列している商品棚を介して店側と客側に分かれるようになっていて、その商品棚に表示器Ａを店側に向け、表示器Ｂを客側に向けて電子料金秤を設置したとする。したがって、表示器Ａには店用の表示内容（図２）で表示がされていて、表示器Ｂには客用の表示内容（図３）が表示されている。
【００２５】
このように設置された電子料金秤は、店が夕方の買い物客などで混雑するようなときには、店員は店側の中にいて客からの注文により商品を販売すればいいので、従来のように店員は電子料金秤を使用するときは表示器Ａを使用し、客は購入する商品の重さや値段などを表示器Ｂにより確認しながら購入する。
【００２６】
しかし、店が昼過ぎなどの買い物客が多く見込めない時間は、店員が客側に出て商品棚の整理などをしているときに買い物客に商品を買いたいと言われるときもある。また、積極的に客側に出て客とともに移動しながら接客をして商品の販売をする場合もある。このようなときに商品を販売するときには、店員は商品を電子料金秤にのせた後、客側に表示されている表示器Ｂの「風袋の単位表示欄」４１と「値段の単位表示欄」４２とを同時に入力して表示内容の切り換えを行い、表示器Ｂに店側の表示内容（図２）が表示されるとともに表示器Ａに客側の表示内容（図３）が表示される。
【００２７】
この表示内容の切り換えにより客側の表示器Ｂに店用の表示内容（図２）が表示されることになる。したがって店員は客が購入した商品の部門、商品名などを選択してタッチキーにより入力することにより客側から購入した商品の商品名や値段などが印刷されたラベルが発行できる。
【００２８】
また、店員がしばらくの間客側に出ていることがはっきりしている場合は、予め店側に設けられている表示切り換えキー（「消」キー３１および「戻」キー３２の同時入力）の入力により、表示内容の切り換えを行ってから店員が客側に出るようにしても良い。
【００２９】
このように本実施の形態によれば、店側に向けられた表示器に表示される表示内容と客側に向けられた表示器に表示される表示内容とを表示切り換えキーの入力により入れ換えて、店員が客側から電子料金秤の操作を行い客が購入する商品のラベルの発行を行えるので、店側から電子料金秤を操作するために店の中に戻らなくてもいいため業務を速やかに行うことができる。
【００３０】
なお、本実施の形態の電子料金秤において、表示切り換えキーの入力により表示器Ａに表示される表示内容を表示器Ｂに表示し、表示器Ｂに表示される表示内容を表示器Ａに表示するように入れ換えて表示する表示切り換え手段としたが、表示器Ｂに表示されている内容（図３）は客が購入した商品の重さや値段をその客に表示するために設けられているものであり、この内容を必ずしも店側の表示器Ａに表示しなくてもよい。
【００３１】
したがって、表示切り換えキーの入力により、店側と客側ともにタッチパネルへの入力を禁止して、店側に表示していた表示器Ａの表示内容データをＲＡＭ１３に保存する。そして、表示器Ａと表示器Ｂとの入力ポートおよび出力ポートの交換を行った後、保存した表示器Ａの表示内容データを出力する。この出力は客側の表示器である表示器Ｂに表示される。そして、タッチパネルへの入力を許可する。このような制御をＣＰＵ１１が行うことにより、店側の表示器Ａへ表示される表示内容が客側の表示器Ｂに表示されることになる。そして、店側の表示器Ａには表示が出ないようにすることもできるし、予め設定してある表示（たとえば、店毎に設定された目標など）をフラッシュＲＯＭ１２に記憶させておき上記ＳＴ７の代わりにフラッシュＲＯＭ１２から記憶した内容を読み出して、その内容に基づいて表示するような制御をＣＰＵ１１が行うようにしても良い。また、このとき表示器Ａに表示切り換えキーのみ表示するようにしても良い。
【００３２】
なお、表示切り換えキーは店側の表示（図２）においては「消」キー３１と「戻」キー３２との同時入力、客側の表示（図３）においては「風袋の単位表示欄」４１と「値段の単位表示欄」４２との同時入力により切り換えを行うこととしたが、これに限られず、他のキーを表示切り換えキーとして設定してもよいし、別途「表示切り換えキー」を設けても良い。
【００３３】
また、表示内容を表示パネルに設けるとともに操作キーをタッチパネルに設けたので、表示内容の変更や各種操作キーの変更を容易に行うことができることはいうまでもない。
【００３４】
【発明の効果】
以上詳述したように本願請求項１記載の発明によると、店用の表示器に表示される内容を客用の表示器に表示できるので、店員に近い場所で電子料金秤の操作を行い速やかな業務遂行を行う電子料金秤を提供できる。
【００３５】
また、本願請求項２記載の発明によると、店用の表示器に表示される内容と客側に表示される内容とを入れ換えて表示するので、請求項１記載の電子料金秤より容易に店側の表示器に表示される内容を客側の表示器に表示する電子料金秤を提供できる。
【図面の簡単な説明】
【図１】本実施の形態における電子料金秤の要部の構成を示すブロック図。
【図２】同実施の形態における店用の表示器の表示内容を示す図。
【図３】同実施の形態における客用の表示器の表示内容を示す図。
【図４】同実施の形態おける店用の表示器の表示と客用の表示器の表示を入れ換えて表示するときのＣＰＵが行う処理の流れを示す流れ図。
【図５】同実施の形態における表示を切り換えた後の出力ポートおよび入力ポートの関係を示す図。
【図６】同実施の形態における電子料金秤の外観を示す外観斜視図。
【符号の説明】
１８ａ…表示切り換えキー
１８ｂ…表示切り換えキー
１９ａ…タッチパネル
１９ｂ…タッチパネル
Ａ…表示器
Ｂ…表示器
【図１】
0003696506.tif 000002
【図２】
0003696506.tif 000003
【図３】
0003696506.tif 000004
【図４】
0003696506.tif 000005
【図５】
0003696506.tif 000006
【図６】
0003696506.tif 000007